(57)【要約】      （修正有）【課題】屑入れ内の細断屑の堆積度合いを的確に判断できるようにして細断屑の排出作業回数を有効に節約し得るシュレッダを提供する。【解決手段】被細断物を投入するための投入口を有する筐体と、前記投入口から投入された被細断物を細断刃により細断する細断機構と、この細断機構により細断された細断屑を前記筐体内で収容し且つ当該筐体から出し入れ可能に配された屑入れと、前記筐体に設けられ、外方から前記屑入れの内部を視認可能な窓と、前記筐体の内部に設けられ前記屑入れの内部に光を照射する照明と、前記屑入れの内部に堆積した細断屑が所定量よりも多く堆積した多堆積時は前記細断屑が所定量以下である通常時とは異なる態様の光を照射するように前記照明を制御する照明制御機構とを具備する。【選択図】図７
2015093216.tif 000002
【特許請求の範囲】
【請求項１】
被細断物を投入するための投入口を有する筐体と、
前記投入口から投入された被細断物を細断刃により細断する細断機構と、
この細断機構により細断された細断屑を前記筐体内で収容し且つ当該筐体から出し入れ可能に配された屑入れと、
前記筐体に設けられ、外方から前記屑入れの内部を視認可能な窓と、
前記筐体の内部に設けられ前記屑入れの内部に光を照射する照明と、
前記屑入れの内部に堆積した細断屑が所定量よりも多く堆積した多堆積時は前記細断屑が所定量以下である通常時とは異なる態様の光を照射するように前記照明を制御する照明制御機構とを具備することを特徴とするシュレッダ。
【請求項２】
前記照明制御手段が、前記筐体内の所定の位置から前記屑入れ内に堆積した細断屑の上面までの距離を測る測距センサを有している請求項１記載のシュレッダ。
【請求項３】
前記細断機構が、前記筐体が有する棚板に下方から支持されるとともに前記棚板が前記細断機構から落下する細断屑を下方へ排出するための屑排出口を有するものであり、
前記測距センサが前記屑排出口の近傍に取り付けられている請求項２記載のシュレッダ。
【請求項４】
前記屑入れ内に堆積した細断屑の上面を均し得る屑均し機構を有している請求項１、２又は３記載のシュレッダ。
【請求項５】
前記照明制御機構が、前記屑均し機構の作動後のみ前記屑入れ内の細断屑の量を検知する請求項１、２、３又は４記載のシュレッダ。
【請求項６】
前記照明制御手段が、前記通常時において前記屑入れ内の細断屑の量に応じてそれぞれ異なる態様の光を照らすように前記照明を制御する請求項１、２、３、４又は５記載のシュレッダ。
【請求項７】
前記照明制御手段が、前記照明が照らす光の色を変更するものである請求項１、２、３、４、５又は６記載のシュレッダ。
【請求項８】
前記照明が照らす光の色が、前記屑入れ内の細断屑の量が多くなるに従い色寒色から暖色へと変更する請求項７記載のシュレッダ。
【請求項９】
前記窓が、前記筐体において細断機構を支持している棚板と前記屑入れとの間の隙間から前記屑入れの内部を視認し得る位置に位置付けられている請求項１、２、３、４、５、６、７又は８記載のシュレッダ。
【発明の詳細な説明】
【技術分野】
【０００１】
本発明は、オフィスにおいて好適に使用され得るシュレッダに関するものである。
【背景技術】
【０００２】
従来、オフィスにおいて、書類に記された情報が漏洩することを防止するために書類を廃棄する際に解読不能に細断するシュレッダが提案されている(例えば、特許文献１及び非特許文献１参照)。
【０００３】
そしてオフィスにおいては、種々の業務の効率を担保する意味合いから、シュレッダにより書類を細断する作業をまとめて行うといったことが行われている。斯かる作業を行う場合、使用者は一定時間シュレッダを連続して使用し続けることになる。このとき斯かる作業の効率を向上させるためには、シュレッダを使用する時間のうち、書類等の被細断物を細断する作業以外の作業時間を節約することが必要となる。そしてこの点を認識するとシュレッダは使用者にとって、屑入れ内の細断屑の堆積量を把握し易いようにすることが要求される。
【０００４】
これまでにも筐体内に堆積した細断屑の量が使用者に把握されやすいように、筐体に窓を設けるとともに、筐体内に照明を設け、堆積される細断屑の量を把握し易いようにしたものも提案されている（例えば、特許文献１参照）
しかしながら上記特許文献１のようなものであっても、使用者は作業中に細断屑の堆積量を確認したいときはその都度窓を介して筐体内の状態を見なければならならず、そして使用者の作業姿勢によってはこのときに細断作業を中断してしまうことも起こり得る。また使用者の趣向によってはより正確に細断屑の堆積量を把握すべく、屑入れを筐体から出して直接目視する手間が生じたり、その際に屑入れ内にまだ十分に細断屑が堆積していないにも拘わらず使用者が細断屑を捨てる作業を不要に行ったりという事がいきおい増してしまうこととなる。その結果、特に一度に大量の非細断物を細断する作業を行うときは斯かる作業効率が向上し得ていないのが現状である。
【先行技術文献】
【特許文献】
【０００５】
【特許文献１】実開昭６３−６０５４号公報
【非特許文献】
【０００６】
【非特許文献１】「コクヨ２０１３総合カタログ」、オフィスステーショナリー編、コクヨ株式会社、２０１２年１２月発行、Ｐ．４０３の中段中央及び右側に示されているシュレッダ）
【発明の概要】
【発明が解決しようとする課題】
【０００７】
そこで本発明は上述した点に着目したものであり、屑入れ内の細断屑の堆積度合いを的確に判断できるようにして細断屑の排出作業回数を有効に節約し得るシュレッダを提供する。
【課題を解決するための手段】
【０００８】
本発明は、このような目的を達成するために、次のような手段を講じたものである。
【０００９】
すなわち本発明に係るシュレッダは、被細断物を投入するための投入口を有する筐体と、前記投入口から投入された被細断物を細断刃により細断する細断機構と、この細断機構により細断された細断屑を前記筐体内で収容し且つ当該筐体から出し入れ可能に配された屑入れと、前記筐体に設けられ、外方から前記屑入れの内部を視認可能な窓と、前記筐体の内部に設けられ前記屑入れの内部に光を照射する照明と、前記屑入れの内部に堆積した細断屑が所定量よりも多く堆積した多堆積時は前記細断屑が所定量以下である通常時とは異なる態様の光を照射するように前記照明を制御する照明制御機構とを具備することを特徴とする。
【００１０】
ここで、「通常時とは異なる態様」とは、光の照射の有無や色の変更という態様に限られず、光の照度の強弱が変更や、点滅や光の照射方向、照度の強弱パターンの変化等、種々の態様を挙げることができる。
【００１１】
このようなものであれば、使用者は継続した作業中であっても屑入れ内の細断屑の堆積量や、被細断屑が正常に細断されている状況を容易に確認し得るとともに、細断屑が所定量を超えるときときに起こる異なる態様の光によって、自らが細断屑を筐体外へ排出すべきタイミングの目処も容易に量ることができる。その結果、使用者にとって細断屑の排出作業回数を有効に節約し得るシュレッダを提供することができる。
【００１２】
細断屑の堆積量を計測する手段は細断屑の重さであったり細断屑の上面に直接接触する等、種々の態様が考えられるが、より簡便に実現し得る態様としては、前記照明制御手段が、前記筐体内の所定の位置から前記屑入れ内に堆積した細断屑の上面までの距離を測る測距センサを有している態様を挙げることができる。
【００１３】
そして測距センサによってより正確に細断屑の堆積量を把握できるようにするためには、前記細断機構を前記筐体が有する棚板に下方から支持されるとともに前記棚板が前記細断機構から落下する細断屑を下方へ排出するための屑排出口を有するものとし、前記測距センサを前記屑排出口の近傍に取り付けておくことが望ましい。
【００１４】
そして通常、屑入れに堆積する細断屑の量をより正確に把握する態様として、前記屑入れ内に堆積した細断屑の上面を均し得る屑均し機構を設ける態様も挙げることができる。
【００１５】
斯かる屑均し機構を適用した場合、前記照明制御機構が、前記屑均し機構の作動後のみ前記屑入れ内の細断屑の量を検知するようにしておけば、細断屑の量をより正確に検知し得る。
【００１６】
また、使用者が窓の内部を注視しなくとも概ねの細断屑の堆積量を把握し得るようにして使用者の作業効率の向上に寄与せしめる態様として、前記照明制御手段が、前記通常時において前記屑入れ内の細断屑の量に応じてそれぞれ異なる態様の光を照らすように前記照明を制御する態様を挙げることができる。
【００１７】
使用者にとって細断屑の量の変化をより認識し易くし、斯かる作業によって生じる負担をより軽減し得るようにするためには、前記照明制御手段が、前記照明が照らす光の色を変更するようにすれば良い。
【００１８】
一般に人間は青色に代表される寒色よりも赤色に代表される暖色に対し、より意識が向きやすい傾向にある。この傾向を利用して細断屑の排出作業を行うタイミングをより使用者へ認識させ易いようにするためには、前記照明が照らす光の色が、前記屑入れ内の細断屑の量が多くなるに従い寒色から暖色、換言すれば色温度が高い色から低い色へと変更するようにすれば良い。
【００１９】
屑入れの内部を視認し易く、且つ屑入れ自体のサイズをより大きく設定し得る態様として、前記窓が、前記筐体において細断機構を支持している棚板と前記屑入れとの間の隙間から前記屑入れの内部を視認し得る位置に位置付けられている態様を挙げることができる。
【発明の効果】
【００２０】
本発明によれば、屑入れ内の細断屑の堆積度合いを的確に判断できるようにして細断屑の排出作業回数を有効に節約し得るシュレッダを提供することができる。
【図面の簡単な説明】
【００２１】
【図１】本発明の一実施形態に係る外観図。
【図２】同実施形態に係る斜視図。
【図３】同正面図。
【図４】同平面図。
【図５】同右側面図。
【図６】同左側面図。
【図７】同実施形態に係る他の外観図。
【図８】同分解斜視図。
【図９】同実施形態に係る構成説明図。
【図１０】同要部の外観図。
【図１１】同実施形態に係る動作説明図。
【図１２】同上。
【図１３】同上。
【図１４】同実施形態に係る要部の作用説明図。
【図１５】同実施形態に係る他の要部の作用説明図。
【発明を実施するための形態】
【００２２】
以下、本発明の一実施の形態について図面を参照して説明する。
【００２３】
本実施形態に係るシュレッダは、例えばオフィスにおいて好適に適用され得るものである。
【００２４】
このシュレッダは、立設部材たる柱体１３を有する枠構造体１及び遮蔽板たる面板２からなるシュレッダ本体たる筐体内に、紙等の被細断物を細断する細断刃３７を有する細断機構たる細断ユニット３と、この細断ユニット３によって細断された被細断物である細断屑Ｄを筐体内で収容するための屑入れ７と、屑入れ７内に堆積した細断屑Ｄの上面が水平となるよう均すための屑均し機構たる屑均しユニット４と、これら屑均しユニット４及び細断ユニット３の作動を具体的に制御する制御機構６を構成するための回路ユニット５を組み付けてなるものである。
【００２５】
しかして本実施形態に係るシュレッダは、被細断物を投入するための投入口２６ａを有する筐体と、前記投入口２６ａから投入された被細断物を細断刃３７により細断する細断機構たる細断ユニット３と、この細断ユニット３により細断された細断屑Ｄを前記筐体内で収容し且つ当該筐体から出し入れ可能に配された屑入れ７と、前記筐体に設けられ、外方から前記屑入れ７の内部を視認可能な窓たる視認窓２１２と、前記筐体の内部に設けられ前記屑入れ７の内部に光を照射する照明たるＬＥＤ照明６７と、前記屑入れ７の内部に堆積した細断屑Ｄが所定量よりも多く堆積した多堆積時は前記細断屑Ｄが所定量以下である通常時とは異なる態様の光を照射するように前記ＬＥＤ照明６７を制御する照明制御機構とを具備することを特徴とする。
【００２６】
以下、シュレッダの各部の構成につい図１〜図１５に示して詳述する。本実施形態に係るシュレッダは、枠構造体１に対し、面板２を組み付けることによって筐体を構成してなる。なお図１では屑入れ７の図示を省略するとともに屑入れ７の向こう側に見える後柱１３２を破線にて図示している。
【００２７】
＜枠構造体１＞
枠構造体１は、床面に接地する接地体１１と、この接地体１１を下面側に組み付けてなる底板１２と、この底板１２にそれぞれ固定、立設される立設部材たる柱体１３と、柱体１３間に架設されてなる架設体たる棚板１４と、柱体１３の上端を一部の面板２とともに固定する固定枠１５とを有している。
【００２８】
接地体１１は、底板１２の前後両側に取り付けられた対をなす前側キャスタ１１ａ及び後側キャスタ１１ｂと、前記前側キャスタ１１ａよりも巾方向における内側に取り付けられた対をなすアジャスタ１１ｃとを有してなる。本実施形態では前側キャスタ１１ａについて、床面上の移動を禁止し得るロック機構を備えたものとして、シュレッダの移動の禁止／許容をシュレッダの前側からの操作のみで行い得るようにしている。そして前側キャスタ１１ａ、後側キャスタ１１ｂによって床面を移動させる際にはアジャスタ１１ｃの接地面は床面から浮上させておき、所要の位置にシュレッダを位置決めした後、アジャスタ１１ｃの接地面を床面に接地させることで、シュレッダを床面状に安定して載置し得るようにしている。
【００２９】
底板１２は、板金素材を適宜折り曲げて形成した底板本体１２１に対し、ねじ穴であるキャスタ取付部１２２と、四隅において例えば溶接及びねじ止めにより柱体１３を固定する柱取付部１２３と、下方に板金素材を延出させてなるアジャスタ取付部１２４と、このアジャスタ取付部１２４に溶接により固定されたナットでありアジャスタをねじ送りによる昇降可能に支持するための固定ナット１２５とを有している。
【００３０】
柱体１３は、底板１２の前端両側に設けた対をなす前柱１３１と後端両側に設けた対をなす後柱１３２とを有している。
【００３１】
前柱１３１は、下端を溶接及びねじ止めによって底板１２に強固に固定されるとともに外側方において上下四箇所に等間隔に設けられた側フック１３３と、上面において固定枠１５に固定されるために前後二つ設けられた上固定穴１３６とを有している。そして右側の前柱１３１についてはさらに上下二箇所に蝶番固定部１３４を設けることによりスライド蝶番１６を介して面板２である前扉２１を開成可能に蝶着支持できるようにしている。
【００３２】
対をなす後柱１３２は、本実施形態では左右対称形状を有するもので、面板２である側面板２２を取り付けるための側フック１３３及び背面板２３を取り付けるための後フック１３５を設けている。そしてこの後柱１３２においても上端において固定枠１５に固定されるための上固定穴１３６をそれぞれ一つずつ形成してある。そして前記側フック１３３及び前記後フック１３５は、本実施形態に係る遮蔽板着脱機構を構成する。
【００３３】
棚板１４は、前後方向中央よりやや前側に形成された屑排出口１４１と、屑均ユニット４の一部を挿通させるためのリンク挿通孔１４２と、上面側四箇所に形成される細断ユニット３を取り付けるための細断側取付部１４３と、下面側に設けられた開口及びビス孔からなる屑均し取付部１４４と、前端において制御回路５２を組み付けた回路ユニット５を取り付けるための回路板取付部１４５とを有している。すなわちこの棚板１４は、上側から細断ユニット３を、下側からは屑均しユニット４を、それぞれ独立して着脱可能に取り付けてなる。そして本実施形態ではこの棚板１４は上記細断ユニット３、屑均しユニット４及び回路ユニット５の他に、下面側において屑入れ７内に光を照らし得るＬＥＤ照明６７と、屑入れ７内に堆積した細断屑Ｄの上面との距離を測ることができる測距センサ６６を取り付けている。このＬＥＤ照明６７と測距センサ６６は、回路ユニット５に組み付けられた制御回路５２とともに、庫内照明制御機構を構成している。
【００３４】
固定枠１５は、四角枠状の板金素材を折り曲げ成形したものであり、前柱１３１、後柱１３２の上端に設けられた上固定穴１３６に連通した状態でビス止めされるための共締穴１５１と、両側面及び背面側において板金素材を下方へ向かって直角に折り曲げ成形されて形成された付勢部たる立壁１５２とを有している。この固定枠１５を柱体１３に取り付けたときには、柱体１３に対し面板２ががたつき無く強固に固定されることになるが、その詳細な態様については後に説明する。
【００３５】
スライド蝶番１６は、前記柱体１３と面板との間に設けられ面板である前扉２１が前記筐体の内部を遮蔽する閉止位置（Ｐ１）から屑入れ７の出し入れが容易な持出開成位置（Ｐ２）まで回動可能に支持しているものである。前記スライド蝶番１６は、前扉２１を９０°以上である約１８０°回転可能に支持するものである。そしてこのスライド蝶番１６は、前扉２１を９０°よりも大きい角度で開成させた持出開成位置（Ｐ２）において閉止姿勢（Ｐ１）にある前扉２１の厚み寸法と同方向、つまり前側へスライドさせた回転中心１６ａにより前扉２１を支持するようにしている。このスライド蝶番１６は、本実施形態に係る遮蔽板着脱機構を構成する。
【００３６】
＜面板２＞
面板２は、上記柱体１３にそれぞれ着脱可能に組み付けられることによって、細断ユニット３を外方から遮蔽する遮蔽板に相当するものであるとともに底面以外の筐体の外面を構成し得る。この面板２は、前扉２１と、対をなす側面板２２と、背面板２３と、天板２４とを有してなる。そして本実施形態では、前柱１３１、後柱１３２に対して水平方向である四方から取り付けられる前扉２１、側面板２２及び背面板２３は全て遮蔽板着脱機構を介して着脱可能に取り付けられる。
【００３７】
前扉２１は、スライド蝶番１６を介して前柱１３１に開閉可能に取り付けられている、主に板金素材の折り曲げからなるものである。この前扉２１は、前側を覆う前化粧面２１１と、棚板１４の下方を視認し得るように例えば透明板を嵌め設けた視認窓２１２と、スライド蝶番１６の取付箇所である被取付部２１３と、上端を概略半円状に凹ませて手指を引っ掛けやすいように板金素材を塑性変更させて設けた把手面部２１４とを有している。
【００３８】
側面板２２は、右側面側の側面板２２と左側面側の側面板２２とがそれぞれ前柱１３１及び後柱１３２に取り付けられてなる。これら両方の側面板２２は、互いに左右対称に形成されてなる。この側面板２２は、両側をそれぞれ覆う側化粧面２２１と、裏面側前後端に設けられ前柱１３１、後柱１３２に取り付けられる取付部２２２とを有している。この取付部２２２には、前記側フック１３３に係り合い得る位置にフック穴２２３が穿たれている。このフック穴は、本実施形態に係る遮蔽板着脱機構に相当する。
【００３９】
背面板２３は後柱１３２に着脱可能に取り付けられる。この背面板２３は、背面側を覆う背化粧面２３１と、この背化粧面の裏面側に設けられ後柱１３２に取り付けられる取付部２３２と、背化粧面における二箇所に嵌め設けられた持上把手２３５とを有している。そして取付部には、前記後フック１３５に係り合い得る位置にフック穴２３３が穿たれている。このフック穴は、本実施形態に係る遮蔽板着脱機構に相当する。
【００４０】
天板２４は、柱体１３の上端に取り付けられるもので、本実施形態では柱体１３の上端に固定枠１５がねじ止めされた後に、この固定枠１５の上側から取り付けられる。この天板２４は、使用者による操作を受け付ける操作面部２５と、紙等の被細断物を挿入し得る投入部２６と、この投入部２６の奥方において使用者が投入しようとする被細断物の量すなわち厚みを制限しておくための狭小部材２８と、投入部２６近傍において細断モータ３６に掛かる負荷つまり細断モータ３６に流れる電流量に応じて色を異ならせて発光する細断状態表示ランプ２７とを有している。具体的に説明すると、投入部２６は奥方にある投入口２６ａに被細断物を挿入し易いようにテーパ形状に形成してなり、投入口２６ａの奥方に連続して狭小部材２８が組み付けられている。この狭小部材２８には、被細断物の通路として最も狭く構成すべく狭小凸部２８ａが形成してあり、この狭小凸部２８ａが形成してある箇所における投入部２６の隙間は、例えば本実施形態では２．３ｍｍに設定し、事務用途のコピー用紙であれば２０枚分の厚みに略相応するようにしてある。なおこの狭小部材２８は取付軸２８ｂを中心に動作させると狭小凸部２８ａを退避させて、狭小凸部２８ａの箇所にて被細断物が詰まってしまった場合には前記隙間を拡げて被細断物を除去し易いようにしてある。こそして細断状態表示ランプ２７は、このように制御される細断モータ３６の電流値が大きくなる事に応じて、例えば緑色、黄色そして赤色へと色を変えて点灯する。そして、細断モータ３６が正常な細断を行えないまでに負荷が増大したと判断されたときは、細断状態表示ランプ２７は赤色で点滅するようになっている。
【００４１】
＜細断ユニット３＞
細断ユニット３は、本実施形態に係る細断機構を構成するものである。この細断ユニット３は、細断刃３７を有する細断部３２と、直流モータである細断モータ３６を主体としてなる駆動部３１と、この駆動部３１、具体的には細断モータ３６の駆動軸３６ａからの駆動力を細断部３２に伝達し得る動力伝達部３３と、これら細断部３２、駆動部３１及び動力伝達部３３を組み付けてなるケーシング３４と、このケーシング３４と棚板１４との間に介在するスタビライザ３５とを有している。細断部３２は、互いに正面視噛み合うように配された対をなす細断刃３７と、これら細断刃３７同士の動作を同期させるための図示しない駆動側ギヤ及び従動側ギヤとを有している。なお細断部３２においては細断刃３７に細断屑Ｄが付着することを防止するスクレイパも備えられているが、図８において当該スクレイパの図示及び説明も省略する。動力伝達部３３は、本実施形態では細断モータ３６の駆動軸３６ａに取り付けられたモータ側プーリ３３１と、細断刃３７側に設けられた刃側プーリ３３２と、これらモータ側プーリ３３１及び刃側プーリ３３２間に掛け設けられたベルト３３３とを有している。ケーシング３４は、細断刃３７及び細断モータ３６を両側から支持する対をなす側板３４１と、これら側板３４１間に架設された丸パイプ状の鋼材からなる四本のステー３４２と、細断部３２の前側をカバーする前側仕切り板３４３と、細断部３２と駆動部３１とを仕切るための後ろ側仕切り板３４４とを有している。スタビライザ３５はケーシング３４と棚板１４との間にゴム等の振動吸収素材を介在させた状態でケーシング３４を棚板１４に固定するためのものである。このスタビライザ３５によって細断部３２、駆動部３１の作動による振動や騒音の発生を低減せしめている。
【００４２】
＜屑均しユニット４＞
屑均しユニット４は本実施形態に係る屑均し機構に相当するものである。この屑均しユニット４は、棚板１４の後側下方に設けられた屑均し取付部１４４に着脱可能に組み付けられてなる。屑均しユニット４は、モータ４１と、このモータ４１の回転軸４１ａの回転動作を往復動作へと変換する動作変換機構４２と、この動作変換機構４２の往復動作を実際の細断屑Ｄを均す動作へと変換するリンク機構４３と、このリンク機構４３に組み付けられ細断屑Ｄに接する作動部材たる線状枠４８と、これらモータ４１、動作変換機構４２及びリンク機構４３を組み付けてなる単一のケース４９とを有している。モータ４１は、前記細断機構である細断ユニット３の動作を制御する制御回路５２とは前記細断刃３７を隔てた反対側に位置付けられている。動作変換機構４２は、回転軸４１ａに固定されたクランクメンバ４２１と、リンク機構４３側に係り合う動作凸部４２２とを有している。リンク機構４３は、前記リンク機構４３が一のリンクメンバをケース４９に対し水平方向に延びた状態で固定された固定メンバ４４とした四辺リンクである。そして本実施形態ではリンク機構４３は側面視矩形状をなし両側に対をなしてリンクメンバを存在させた概略パンタグラフ構造をなす。リンク機構４３は具体的には前記固定メンバ４４の前後に設けられた前固定軸４３ａ及び後固定軸４３ｂを介してそれぞれ駆動リンクメンバ４５及び従動リンクメンバ４６の基端側をそれぞれ枢着するとともに、これら駆動リンクメンバ４５及び従動リンクメンバ４６の先端側を前動作軸４３ｃ及び後動作軸４３ｄを介して動作リンクメンバ４７を枢着することにより四辺リンクを構成している。そして駆動リンクメンバ４５は、左側において上端に長穴４５３を穿った動力伝達部４５１と、両側間の動作を同期させるための同期板部４５２とを有している。前記動作変換部材たるクランクメンバ４２１は、前記固定メンバ４４に枢着された駆動リンクメンバ４５の動力伝達部３３に動作凸部４２２を挿入する態様にて接続されている。そして動作リンクメンバ４７の下端に作動部材たる線状枠４８が枢着固定されている。また本実施形態では掛かる前記退避位置（Ｚ１）よりも前記動作リンクメンバ４７が上方へ動作する逆方向動作をケース４９に当接することにより禁止する誤動作禁止部である上限ストッパ４７１を備えている。線状枠４８は、平面視矩形状の外枠４８１と、この外枠の前後方向略中央にて横架される横架枠４８２とを有している。この線状枠４８が動作することによって、山なりに傾斜した細断屑Ｄの上面を徐々に平坦に均していく。取付ケース４９は、モータ４１を支持するケース本体４９１と、棚板１４に下側から接するフランジ状をなす取付面部４９２と、この取付面部の両側に形成されたダルマ孔４９３と、ケース本体４９１の前後にそれぞれ四つずつ形成されたビス孔４９４とを有している。棚板１４へのケース本体４９１の取り付けに際しては、まず棚板１４側に両側二本のボルトを取り付けておき、このボルトの頭部にダルマ孔４９３の狭小部分を引っ掛けることにより、ケース本体４９１を仮止めし、ビス孔４９４を固定するようにできる。
【００４３】
＜回路ユニット５、屑入れ７＞
本実施形態においてシュレッダの制御は主に、棚板１４の前端に取り付けられた回路ユニット５が司っている。この回路ユニット５は、棚板１４の回路板支持部１４５に支持された回路支持板５１と、この回路支持板５１に固定された制御回路５２とを有している。換言すれば本実施形態では当該回路ユニット５が単体で或いは筐体内に設けられた種々のセンサや構成要素と協働することにより、制御機構６を構成している。この制御機構６には、庫内の照明を制御する庫内照明制御機構とは別に、従来のものと同様、細断ユニット３を制御する細断制御機構、所定条件を満たした場合に直ちに細断刃３７の動作を停止する緊急停止機構、投入部２６に近接する被細断物を検知する被細断物検出機構として機能を奏している。
【００４４】
そして屑入れ７は、本実施形態では筐体内に収容すると平面視底板１２内において柱体１３に略接するまでの平面視の大きさを有するとともに、上端が棚板１４に近接するまでの高さ寸法を有する事により、筐体内のスペースを細断屑Ｄの収容に十分生かせるまでの大きさをなす箱状のものである。また本実施形態では、底板１２に屑入れ７の前側には位置決めを行う構成要素は設けられておらず、後側において後柱１３２に当接することによって位置決めが行われている。図７において屑入れ７は側方に持ち手が形成されている態様を図示しているが勿論、持ち手の位置や形状、さらには屑入れ７の具体的な形状、構造については図示の態様に限定されない。
【００４５】
＜屑均しユニット４の作動説明＞
本実施形態に係るシュレッダは前記屑入れ７を筐体から出し入れする前側から後ろ側へ向けて斜め下方向に動作し細断屑Ｄの上面を上方から圧縮しつつ水平に均し得る屑均ユニット４を具備している。以下、図１１〜図１３を参照して屑均しユニット４の動作について説明する。
【００４６】
図１１では動作リンクメンバ４７動作上端にある退避位置（Ｚ１）あるときを示している。このとき前記動作リンクメンバ４７は固定メンバ４４に対し側面視略重複することにより、使用者が視認窓２１２から視認し得ない位置に線状枠４８が退避するとともに、使用者は屑入れ７内に堆積した細断屑Ｄを容易に視認し得る。そして細断モータ３６の作動とともに屑均ユニット４が作動すると、図１２に示すように動作リンクメンバ４７は斜め後方へ動作してゆき、図１３に示すように動作リンクメンバ４７が均し位置（Ｚ２）に位置付けられると線状枠４８が細断屑Ｄの上面に接するようになる。そしてこの図１１から図１３への一連の往復動作が繰り返されることにより、細断屑Ｄの上面は図１３に想像線で示すように下方へ圧縮されつつ且つ平坦に均されていく。
【００４７】
＜遮蔽板着脱機構の作用説明＞
また本実施形態では図８、図１４及び図１５に示すように、枠構造体１に対して側面板２２及び背面板２３が遮蔽板着脱機構であるフック及びフック穴を介して取り付けられるとともに、前扉２１が遮蔽板着脱機構であるスライド蝶番１６を介して取り付けられている。
【００４８】
図１４は、背面板２３を後柱１３２に取り付けた後、固定枠１５を取り付ける態様を模式的に示している。同図に示すように、フック穴は後フック１３５に掛けられる後、固定枠１５に設けられた付勢部つまり立壁１５２が後柱１３２と取付部２３２との間に介在することで、フック穴とフックとの係り合いが、がたつきなく強固なものとなる。これにより、側面板２２及び背面板２３は枠構造体１に強固に取り付けられる。換言すればこれら側面板２２及び背面板２３は枠構造と協働することにより、筐体全体としての強度が担保される。
【００４９】
また図１５に示すように、本実施形態では前扉２１がスライド蝶番１６を介して前柱１３１に取り付けられている。なお同図では図示の便宜上、天板２４及び固定枠１５の図示を略している。同図に示すように、前扉２１をスライド蝶番１６を介して取り付けることにより、他の家具Ｉをシュレッダに隣接させて配置しても前扉２１は持出開成位置（Ｐ２）をとり得るので、他の家具Ｉの前面が閉止位置（Ｐ１）にある前扉２１と面一に位置付けられていたとしても前扉２１が他の家具Ｉに干渉することが有効に回避されている。また他の家具Ｉの有無に拘わらず前扉２１を９０°以上開成できるので、オフィスのレイアウトに関係無く屑入れ７の容易な出し入れ作業が担保されている。
【００５０】
＜照明制御機構の作動説明＞
しかして本実施形態では、図７及び図１１〜図１３に示すように、前記屑入れ７の内部に堆積した細断屑Ｄの量に伴って、ＬＥＤ照明６７が照らす光の色が異なるように構成している。換言すれば、棚板１４に取り付けたＬＥＤ照明６７及び測距センサ６６と制御回路５２に設けられた電子部品とが協働することにより、制御機構６がＬＥＤ照明６７を制御する照明制御機構として機能する。
【００５１】
図７に示すように、測距センサ６６により検知される当該測距センサ６６と屑入れ７内に堆積した細断屑Ｄの上面との距離から、細断屑Ｄの上面が屑入れ７内部の高さの７０％未満である場合は通常時における緑色領域ＧＡにあると判断し、ＬＥＤ照明６７は緑色の光を照らす。そして細断屑Ｄの堆積が進むにつれて細断屑Ｄの上面の高さが７０％以上、９０％未満であるときは黄色領域ＹＡである判断しＬＥＤ照明６７は黄色の光を照らす。そして細断屑Ｄの上面が９０％以上となると多堆積状態である赤色領域ＲＡであると判断する。そしてＬＥＤ照明６７は赤色の光を照らす。また本実施形態では、細断刃３７の動作中は常に屑均しユニット４が作動し、線状枠４８が動作している。そして本実施形態では特に図１３に示すように、動作リンクメンバ４７が換言すれば均し位置（Ｚ２）に位置付けられるとき、或いはその直後のみ測距センサ６６を作動させることにより、細断屑Ｄの堆積量が過大に判断されることなく正確に把握し得るようにしている。また細断屑Ｄの上面が例えば屑入れ７内部の高さの１００％以上の高さに達し屑入れ７の上端に近接するようなときはさらに赤色の光を点滅させるようにＬＥＤ照明６７を制御しても良い。
【００５２】
以上のような構成とすることにより、本実施形態に係るシュレッダは、使用中であっても屑入れ７内の細断屑Ｄの堆積量や、被細断屑Ｄが正常に細断されている状況を容易に使用者が確認し得るとともに、細断屑Ｄが所定量を超えるときときに起こる異なる態様の光となることによって、自らが細断屑Ｄを筐体外へ排出すべきタイミングの目処も容易に量ることができる。その結果、使用者にとって細断屑Ｄの排出作業回数を有効に節約し得る。
【００５３】
そして本実施形態では測距センサ６６により細断屑Ｄの堆積量を計測する手法を選択することで、正確な堆積量をより簡便に把握せしめている。
【００５４】
そして測距センサ６６によってより正確に細断屑Ｄの堆積量を把握できるようにするために本実施形態では、測距センサ６６を前記屑排出口１４１の近傍に取り付けておき、細断屑Ｄが優先的に堆積していく箇所からの距離を測り易くしている。
【００５５】
特に本実施形態では屑均しユニット４を適用することにより、屑入れ７に堆積する細断屑Ｄの上面が均されるため、屑入れ７内の細断屑Ｄの堆積量をより正確に把握することができる。
【００５６】
斯かる屑均ユニット４を適用した場合、前記照明制御機構が、前記屑均ユニット４の作動後のみ前記屑入れ７内の細断屑Ｄの量を検知するようにして、屑均しユニット４の動作に干渉されることなく細断屑Ｄの量をより正確に検知し得るようにしている。
【００５７】
また、使用者が窓の内部を注視しなくとも概ねの細断屑Ｄの堆積量を把握し得るようにして使用者の作業効率の向上に寄与せしめるように本実施形態では、前記照明制御手段が、前記通常時において前記屑入れ７内の細断屑Ｄの量に応じてそれぞれ異なる色の光を照らすように前記照明を制御している。
【００５８】
本実施形態では照明の変化が分かりやすいようにＬＥＤ照明６７が照らす光の色を異ならせて細断屑Ｄの使用者にとって細断屑Ｄの量の変化をより認識し易くしているが特に本実施形態では、前記照明が照らす光の色が、前記屑入れ７内の細断屑Ｄの量が多くなるに従い色温度が高く注意喚起され難い寒色である緑色から暖色である赤色といった注意喚起がされ易い色温度が低い色へと変更するようにしている。
【００５９】
屑入れ７の内部を視認し易く、且つ屑入れ７自体のサイズをより大きく設定し得るように本実施形態では、視認窓２１２が、前記筐体において細断機構を支持している棚板１４と前記屑入れ７との間の隙間から前記屑入れ７の内部を視認し得る位置に位置付けられている。
【００６０】
以上、本発明の実施形態について説明したが、各部の具体的な構成は、上述した実施形態のみに限定されるものではなく、本発明の趣旨を逸脱しない範囲で種々変形が可能である。
【００６１】
例えば、上記実施形態では屑入れ内の細断屑の堆積量に応じて３段階で照明の色が異なる態様を開示したが、勿論、例えば上記緑色領域及び黄色領域に相当する通常状態においてさらに多段階に領域分けを行い、それぞれ別異の色の光を照らすようにしたものであってもよい。また照明の具体的な位置や細断屑の堆積量を検知する具体的な態様は上記実施形態のものに限定されることはなく、既存のものを含め、種々の態様のものを適用することができる。
【００６２】
その他、各部の具体的構成についても上記実施形態に限られるものではなく、本発明の趣旨を逸脱しない範囲で種々変形が可能である。
【産業上の利用可能性】
【００６３】
本発明はオフィスにおいて好適に使用され得るシュレッダとして利用することができる。
【符号の説明】
【００６４】
１…筐体（枠構造体）
２…筐体（面板）
２１２…窓（視認窓）
３…細断機構（細断ユニット）
６…照明制御機構（制御機構）
６６…照明制御機構（測距センサ）
６７…照明（ＬＥＤ照明）
７…屑入れ
Ｄ…細断屑
ＧＡ…緑色領域
ＹＡ…黄色領域
ＲＡ…赤色領域
【図１】
2015093216.tif 000003
【図２】
2015093216.tif 000004
【図３】
2015093216.tif 000005
【図４】
2015093216.tif 000006
【図５】
2015093216.tif 000007
【図６】
2015093216.tif 000008
【図７】
2015093216.tif 000009
【図８】
2015093216.tif 000010
【図９】
2015093216.tif 000011
【図１０】
2015093216.tif 000012
【図１１】
2015093216.tif 000013
【図１２】
2015093216.tif 000014
【図１３】
2015093216.tif 000015
【図１４】
2015093216.tif 000016
【図１５】
2015093216.tif 000017